(57)【要約】【課題】柄を容易に二分割して不使用時のコンパクト化を図る。【解決手段】使用時には、本体ケース１の先端部１ａとブラシホルダー２の基端部２ａを連結させることにより、無接点接続手段４で超音波発信回路Ｂ１及び電池Ｃと超音波振動子Ｄが電気的に結合されて、超音波振動子Ｄが超音波振動する。不使用時には、本体ケース１の先端部１ａとブラシホルダー２の基端部２ａ及び無接点接続手段４を分離することにより、柄Ａの全長が短縮化される。【選択図】　　　図１
2004089353.tif 000002
【特許請求の範囲】
【請求項１】
柄（Ａ）の内部に少なくとも超音波発信回路（Ｂ１）が含まれる機能主要部（Ｂ）を内装し、この機能主要部（Ｂ）の通電によって柄（Ａ）の先端に埋設された超音波振動子（Ｄ）から超音波振動を発振させ、ブラシ（Ｅ１）を介して利用者の歯と歯茎及びその周囲の口腔組織へ向け伝播される超音波歯ブラシにおいて、
前記柄（Ａ）が本体ケース（１）と、先端にブラシ（Ｅ１）が取り付けられたブラシホルダー（２）とを備え、この本体ケース（１）の内部に機能主要部（Ｂ）を配置すると共に、ブラシホルダー（２）の先端側に超音波振動子（Ｄ）を埋設し、これら本体ケース（１）の先端部（１ａ）とブラシホルダー（２）の基端部（２ａ）を着脱自在に連結させ、この連結部分には、両者の連結時のみ超音波発信回路（Ｂ１）と超音波振動子（Ｄ）とを電気的に結合させる分離可能な無接点接続手段（４）を設けたことを特徴とする超音波歯ブラシ。
【請求項２】
前記無接点接続手段（４）が、互いに分離可能な一次側コイル（４ａ）と二次側コイル（４ｂ）からなり、その一方を本体ケース（１）の先端部（１ａ）に配置すると共に、他方をブラシホルダー（２）の基端部（１ｂ）を配置して互いに接近させ、これら本体ケース（１）の先端部（１ａ）とブラシホルダー（２）の基端部（２ａ）とが連結した状態で、上記一次側コイル（４ａ）と二次側コイル（４ｂ）を電磁結合させる構造である請求項１記載の超音波歯ブラシ。
【請求項３】
前記一次側コイル（４ａ）と二次側コイル（４ｂ）を環状に形成し、本体ケース（１）の先端部（１ａ）とブラシホルダー（２）の基端部（２ａ）との連結状態で上記環状の一方を他方の外周に配置した請求項２記載の超音波歯ブラシ。
【請求項４】
前記ブラシホルダー（２）を複数本用意し、これらブラシホルダー（２）の基端部（２ａ）を一本の本体ケース（１）の先端部（１ａ）に対して交換自在に連結すると共に、該ブラシホルダー（２）の先端部（１ａ）と密接するように、ブラシ（Ｅ１）が植毛されたブラシヘッド（Ｅ）を夫々着脱自在に取り付けた請求項１、２または３記載の超音波歯ブラシ。
【請求項５】
前記ブラシホルダー（２）に超音波振動子（Ｄ）と配線接続された表示部（５）を設け、この表示部（５）を該超音波振動子（Ｄ）の通電中のみ点灯させた請求項１、２、３または４記載の超音波歯ブラシ。
【請求項６】
前記一次側コイル（４ａ）に対して二次側コイル（４ｂ）の巻数を多くした請求項２または３記載の超音波歯ブラシ。
【発明の詳細な説明】
【０００１】
【発明の属する技術分野】
本発明は、超音波振動より歯を洗浄するための電源が電池で持ち運び可能な超音波歯ブラシに関する。
詳しくは、柄の内部に少なくとも超音波発信回路が含まれる機能主要部を内装し、この機能主要部の通電によって柄の先端に埋設された超音波振動子から超音波振動を発振させ、ブラシを介して使用者の歯と歯茎及びその周囲の口腔組織へ向け伝播される超音波歯ブラシに関する。
【０００２】
【従来の技術】
従来、この種の超音波歯ブラシは、一体成形された柄の内部空間に、超音波発信回路などの機能主要部と電池を配置すると共に、柄の先端側に超音波振動子を配置し、この超音波振動子から超音波振動が伝わるようにブラシを柄の先端に植毛して配置している（例えば、特許文献１、特許文献２、特許文献３参照。）。更に、一体成形された柄の内部に、超音波発信回路などの機能主要部と電池を埋設すると共に、柄の先端側に超音波振動子を埋設して配置し、この超音波振動子から発振した超音波振動がブラシを介して使用者の歯と歯茎及びその周囲の口腔組織へ確実でしかも効率よく伝播されるようにするため、該柄の先端側と密接するように、ブラシが植毛されたブラシヘッドを着脱自在に取り付けたものがある（例えば、特許文献４参照。）。
また、柄が互いに取り外し可能に螺着された頸部と胴部から構成され、この胴部の内部空間に、超音波発信回路などの機能主要部と電池と超音波振動子を内装し、この超音波振動子には、頸部と胴部との螺着時に頸部内を貫通するように導波金属棒が突設され、頸部の先端には導波金属ソケットが埋設され、この導波金属ソケットに延設された導波金属板にブラシの根部を固着又は接続し、超音波振動子から超音波振動が導波金属棒、導波金属ソケット、導波金属板を順次介してブラシに伝達されるものもある（例えば、特許文献５参照。）。
【０００３】
【特許文献１】
実開昭５７−２８２９号公報（第２頁、第１図）
【特許文献２】
実開平６−５８７２２号公報（第４−５頁、図１）
【特許文献３】
特開平１０−１６５２２８号公報（第２頁、図３）
【特許文献４】
特表平７−５０９１５１号公報（第３−４頁、図１−３）
【特許文献５】
特開昭６３−１０９８０７号公報（第２−３頁、第１図）
【０００４】
【発明が解決しようとする課題】
しかし乍ら、このような従来の超音波歯ブラシでは、一体成形した柄の内部に超音波発信回路などの機能主要部を配置して柄の先端側にブラシを配置したものの場合、柄の全長が長くなって携帯性に劣り、そのため例えば旅行などの外出時における持ち運びが困難で使用勝手が悪いという問題がある。
更に、柄が互いに取り外し可能に螺着された頸部と胴部から構成されるものの場合には、携帯性を向上させるために頸部と胴部を取り外した状態で持ち運ぶことも考えられるが、胴部から頸部を取り外しても該頸部を貫通して導波金属棒の大部分が突設するため、大幅なコンパクト化が図れないという問題がある。
しかも、持ち運びに伴って発生した振動や衝撃で、頸部から突出した導波金属棒が屈曲変形する可能性もあり、それにより導波金属ソケットと超音波伝動可能に接続できなくなる恐れもあって、実際上は頸部と胴部を取り外した状態で持ち運ぶことは困難である
また、柄の先端側と密接するように、ブラシが植毛されたブラシヘッドを着脱自在に取り付けた場合には、このブラシヘッドを頻繁に着脱すると、ブラシヘッドと柄の先端との間に隙間が発生してガタ付き易くなり、これに伴って超音波振動子から発振した超音波振動をブラシへ確実に伝達できず、その結果、ブラシヘッドのみを交換して複数の利用者が共用することはできないという問題がある。
【０００５】
本発明のうち請求項１記載の発明は、柄を容易に二分割して不使用時のコンパクト化を図ることを目的としたものである。
請求項２記載の発明は、請求項１に記載の発明の目的に加えて、電気結合部分を防水構造にすることを目的としたものである。
請求項３記載の発明は、請求項２に記載の発明の目的に加えて、連結時のコンパクト化を図ることを目的としたものである。
請求項４記載の発明は、請求項１、２または３に記載の発明の目的に加えて、超音波振動子からブラシへの振動伝達を長期に亘って維持しながら複数の利用者が一本の本体ケースを共用することを目的としたものである。
請求項５記載の発明は、請求項１、２、３または４に記載の発明の目的に加えて、本体ケースとブラシホルダーの結合状態を容易に確認することを目的としたものである。
請求項６記載の発明は、請求項２または３に記載の発明の目的に加えて、安定した電磁結合を実現することを目的としたものである。
【０００６】
【課題を解決するための手段】
前述した目的を達成するために、本発明のうち請求項１記載の発明は、柄が本体ケースと、先端にブラシが取り付けられたブラシホルダーとを備え、この本体ケースの内部に機能主要部を配置すると共に、ブラシホルダーの先端側に超音波振動子を埋設し、これら本体ケースの先端部とブラシホルダーの基端部を着脱自在に連結させ、この連結部分には、両者の連結時のみ超音波発信回路及び電池と超音波振動子とを電気的に結合させる分離可能な無接点接続手段を設けたことを特徴とするものである。
請求項２記載の発明は、請求項１記載の発明の構成に、前記無接点接続手段が、互いに分離可能な一次側コイルと二次側コイルからなり、その一方を本体ケースの先端部に配置すると共に、他方をブラシホルダーの基端部を配置し、これら本体ケースの先端部とブラシホルダーの基端部とが連結した状態で、上記一次側コイルと二次側コイルを電磁結合させる構造である構成を加えたことを特徴とする。
請求項３記載の発明は、請求項１または２記載の発明の構成に、前記一次側コイルと二次側コイルを環状に形成し、本体ケースの先端部とブラシホルダーの基端部との連結状態で上記環状の一方を他方の外周に配置した構成を加えたことを特徴とする。
請求項４記載の発明は、請求項１、２または３記載の発明の構成に、前記ブラシホルダーを複数本用意し、これらブラシホルダーの基端部を一本の本体ケースの先端部に対して交換自在に連結すると共に、該ブラシホルダーの先端部と密接するように、ブラシが植毛されたブラシヘッドを夫々着脱自在に取り付けた構成を加えたことを特徴とする。
請求項５記載の発明は、請求項１、２、３または４記載の発明の構成に、前記ブラシホルダーに超音波振動子と配線接続された表示部を設け、この表示部を該超音波振動子の通電中のみ点灯させた構成を加えたことを特徴とする。
請求項６記載の発明は、請求項２または３記載の発明の構成に、前記一次側コイルに対して二次側コイルの巻数を多くした構成を加えたことを特徴とする。
【０００７】
【作用】
請求項１の発明は、使用時には本体ケースの先端部とブラシホルダーの基端部を連結させることにより、無接点接続手段で超音波発信回路と超音波振動子が電気的に結合されて、超音波振動子が超音波振動し、不使用時には本体ケースの先端部とブラシホルダーの基端部及び無接点接続手段を分離することにより、柄の全長が短縮化されるものである。
請求項２の発明は、請求項１記載の構成に対して、前記無接点接続手段が、互いに分離可能な一次側コイルと二次側コイルからなり、その一方を本体ケースの先端部に配置すると共に、他方をブラシホルダーの基端部を配置し、これら本体ケースの先端部とブラシホルダーの基端部とが連結した状態で、上記一次側コイルと二次側コイルを電磁結合させる構造である構成を追加したので、本体ケース及びブラシホルダーの連結状態で一次側コイルと二次側コイルを電磁結合することにより、本体ケース及びブラシホルダーの接合面に電気接点を露出させなくても電気的な結合が可能となる。
請求項３の発明は、請求項２記載の構成に対して、前記一次側コイルと二次側コイルを環状に形成し、本体ケースの先端部とブラシホルダーの基端部との連結状態で上記環状の一方を他方の外周に配置した構成を追加したので、本体ケースとブラシホルダーの連結状態で一次側コイル及び二次側コイルが内外二重に配置され、その重複分だけ柄の全長が短縮化される。
請求項４の発明は、請求項１、２または３記載の構成に対して、前記ブラシホルダーを複数本用意し、これらブラシホルダーの基端部を一本の本体ケースの先端部に対して交換自在に連結すると共に、該ブラシホルダーの先端部と密接するように、ブラシが植毛されたブラシヘッドを夫々着脱自在に取り付けた構成を追加したので、ブラシヘッドが取り付けられたブラシホルダーを利用者の人数分だけ予め用意すれば、これら利用者専用のブラシホルダーを一本の本体ケースに連結して、利用者毎に交換することにより、ブラシホルダーからブラシヘッドを頻繁に着脱することなく複数の利用者が共用可能となる。
請求項５の発明は、請求項１、２、３または４記載の構成に対して、前記ブラシホルダーに超音波振動子と配線接続された表示部を設け、この表示部を該超音波振動子の通電中のみ点灯させた構成を追加したので、本体ケースの先端部とブラシホルダーの基端部とが無接点接続手段の適正位置で連結されない場合には、超音波振動子に通電されないため、表示部が点灯しないから異常が分かる。
請求項６の発明は、請求項２または３記載の構成に対して、前記一次側コイルに対して二次側コイルの巻数を多くした構成を追加したので、圧電変換素子の共振周波数のバラツキによる出力電圧差が小さい。
【０００８】
【発明の実施の形態】
以下、本発明の実施例を図面に基づいて説明する。
この実施例は、図１〜図３に示す如く、柄Ａを利用者が握り持つ本体ケース１と、ブラシＥ１が取り付けられたブラシホルダー２とで構成し、これら両者を柄Ａの軸線方向へ略同じ長さにすると共に、本体ケース１の先端部１ａとブラシホルダー２の基端部２ａを嵌挿して着脱自在に連結させ、この連結部分には無接点接続手段４として、互いに分離可能な一次側コイル４ａと二次側コイル４ｂを柄Ａの軸線方向へ接近配列して電磁結合（誘電結合）させる場合を示すものである。
【０００９】
上記本体ケース１は、例えばＡＢＳ樹脂などの硬質合成樹脂で中空な有底筒状に形成され、その先端部１ａを図示例では図２に示す如く断面円形又は楕円形や略矩形状などに開口させ、内部空間には、少なくとも超音波発信回路Ｂ１を含む機能主要部Ｂと電池Ｃが配備され、これらを図３の回路図に示す如く配線接続する。
【００１０】
この機能主要部Ｂとしては、後述する超音波振動子Ｄを作動させるための例えば超音波発振器などからなる超音波発信回路Ｂ１以外にも、操作スイッチＢ２などが一体的に配備される。
【００１１】
更に必要に応じて図示せぬが、後述する超音波振動子Ｄの作動中に亘って利用者が機械的な振動を感じ取れるようにするために、例えば電動モーターの回転軸に固着した偏心板を回転させるなどして、柄Ａの全体を機械的な振動させるようにしても良い。
【００１２】
上記電池Ｃは、本実施例の場合、例えばニッカド電池（ニッケル‐カドミウム電池）などの充電式電池であり、図示せぬ充電器にセットすることにより充電される。
【００１３】
前記ブラシホルダー２は、上記本体ケース１と同様に例えばＡＢＳ樹脂などの硬質合成樹脂で先端へ向かうのに従って徐々に細くなる筒状に形成され、複数の利用者が一本の本体ケース１を共用する場合には、複数本のブラシホルダー２を予め用意することが好ましい。
【００１４】
前記ブラシホルダー２の基端部２ａは、上記本体ケース１の先端部１ａと嵌挿するように図示例では図２に示す如く、断面円形又は楕円形や略矩形状などに開口され、これら本体ケース１の先端部１ａとブラシホルダー２の基端部２ａとを嵌挿して連結される。
【００１５】
本実施例の場合には、ブラシホルダー２の基端部２ａに、本体ケース１の先端部１ａの外径より大きな嵌合部２ｂを連設して相互に嵌挿させると共に、これら両者間にロック機構３を介装し、ブラシホルダー２の嵌合部２ｂ内に本体ケース１の先端部１ａを柄Ａの軸線方向へ嵌挿するたけでロック機構３が係合して両者を確実に連結させる構造とするか、或いは柄Ａの軸線方向へ嵌挿してから軸廻り方向へ回転することにより、ロック機構３が係合して両者を確実に連結させる構造とする。
【００１６】
更に図示例の場合には、本体ケース１の先端部１ａとブラシホルダー２の嵌合部２ｂとの連結部分には、これらの構成材料である例えばＡＢＳ樹脂などの硬質合成樹脂より硬くて耐摩耗性能に優れた耐摩耗性材料３ａを、両者のどちらか一方に固着して介装し、この耐摩耗性材料３ａでロック機構３の一部又は全部を形成することにより、上記連結部分及びロック機構３を摩耗し難くして耐久性の向上を図ることが好ましい。
【００１７】
そして、これら本体ケース１の先端部１ａとブラシホルダー２の基端部２ａとの連結部分には、両者の連結時のみ前記機能主要部Ｂの超音波発信回路Ｂ１及び電池Ｃと後述する超音波振動子Ｄとを電気的に結合させて該超音波振動子Ｄを超音波振動させる分離可能な無接点接続手段４が設けられる。
【００１８】
この無接点接続手段４は、本実施例の場合、互いに分離可能な一次側コイル４ａと二次側コイル４ｂからなり、その一方を本体ケース１の先端部１ａに配置すると共に、他方をブラシホルダー２の基端部２ａを配置し、これら本体ケース１の先端部１ａとブラシホルダー２の基端部２ａとが連結した状態で、上記一次側コイル４ａと二次側コイル４ｂを柄Ａの軸線方向へ接近配列して電磁結合させる構造になっており、図３の回路図に示す如く、一次側コイル４ａを上記超音波発信回路Ｂ１及び電池Ｃなどに配設接続すると共に、二次側コイル４ｂを後述する超音波振動子Ｄに配設接続する。
【００１９】
更に図示例の場合には図１（ａ）（ｂ）に示す如く、本体ケース１の先端部１ａ内に一次側コイル４ａを組み込み、ブラシホルダー２の嵌合部２ｂから基端部２ａ内に二次側コイル４ｂを組み込むと共に、これら一次側コイル４ａから二次側コイル４ｂへ電磁誘導の作用で結合効率を高めるために、これら一次側コイル４ａと二次側コイル４ｂの中心に、絶縁性のボビン４ｃ，４ｄを挟んで磁性コア４ｅ，４ｆが挿入されている。
【００２０】
なお、これら一次側コイル４ａ及び二次側コイル４ｂの組み込み際にしては、ボビン４ｃ，４ｄなどの嵌入時に接着剤などを使用して防水構造とすると共に、更に必要に応じて一次側コイル４ａと二次側コイル４ｂの接合面を、図示例の場合にはボビン４ｃ，４ｄ及び磁性コア４ｅ，４ｆの露出面を防水カバー４ｇ，４ｈで被覆して密閉することにより、錆などの劣化や故障を防止することが好ましい。
【００２１】
特に一次側コイル４ａ及び二次側コイル４ｂの巻数比は、１：１に近いと上記圧電変換素子Ｄの共振周波数のバラツキによって二次側コイル４ｂの出力電圧が大きく変化するため、これらの巻数比が例えば１：４程度となるうように二次側コイル４ｂの巻数を多くすれば、圧電変換素子Ｄの共振周波数のバラツキによる出力電圧差が小さくなって安定した電磁結合が実現できる。
【００２２】
また、前記ブラシホルダー２の先端開口２ｃには、例えば圧電変換素子などからなる薄板状の超音波振動子Ｄを直接埋設している。
圧電変換素子Ｄの場合には、圧電効果（ピエゾ効果）により前記超音波発信回路Ｂから電気信号を入力すると、その体積が膨脹及び収縮して、超音波信号を出力する例えば圧電セラミック素子などの圧電振動子であり、超音波を柄Ａの軸線方向と垂直な方向へ発振させ、この超音波振動の出力を１０〜１００ｍＷ／ｃｍ２に設定すると共に、その周波数を　１．３〜１．９　ＭＨｚに設定する。
【００２３】
図示例の場合には、この圧電変換素子Ｄを例えば４×１７×１ｍｍ程度の薄板状に形成して柄Ａの軸線方向と略平行に配置し、その周囲に粘状硬化タイプの合成樹脂接着剤Ｄ１を充填して封入することにより、上記ブラシホルダー２の先端開口２ｃの内面との間に空気層が発生しない構造にしている。
【００２４】
更に、前記ブラシホルダー２には、上記超音波振動子Ｄと配線接続された表示部５を設け、この表示部５を該超音波振動子Ｄの通電中のみ点灯させる。
図示例の場合には、図３の回路図に示す如く、表示部５として例えば発光ダイオード（ＬＥＤ）を使用し、これを超音波振動子Ｄと並列配線すると共に、図１に示す如く、ブラシホルダー２の内部空間に配置し、レンズ５ａを通して外部から確認可能にしている。
【００２５】
更にまた、上記超音波振動子Ｄが埋設されたブラシホルダー２の先端側には、それと密接するように、ブラシＥ１が植毛されたブラシヘッドＥを着脱自在に取り付ける。
【００２６】
本実施例の場合には、ブラシホルダー２の先端側の背面２ｄが、その先端部分から中間部分へ向かうのに従って肉厚寸法が徐々に厚くなるように緩やかに傾斜させると共に、この傾斜背面２ｄと対向する上記ブラシヘッドＥの背面部Ｅ２の内面を平行となるように緩やかに傾斜させ、この背面部Ｅ２には係合孔Ｅ３を貫通開穿し、上記傾斜背面２ｄには、該係合孔Ｅ３と嵌り合う突起２ｅを突設することにより、ブラシＥ１の根元部分が植毛されたブラシヘッドＥの内底面Ｅ４に対して、ブラシホルダー２の先端底面２ｆを弾性的に圧接させている。
【００２７】
図示例の場合には、この突起２ｅをブラシヘッドＥの圧入方向へ対称な形状、図１に示す如く例えば山形などに形成することにより、ブラシヘッドＥの装着に際して本体カバー１の先端部を圧入した時に、ブラシヘッドＥの係合孔Ｅ３に対して突起２ｅが軽い力で確実に嵌合すると共に、簡単に抜けない構造にしている。なお、これに限定されず、上述した以外の構造でブラシホルダー２の先端側と密接するようにブラシヘッドＥを取り付けても良い。
【００２８】
次に、斯かる超音波歯ブラシの使用方法について説明する。
先ず、使用時には、本体ケース１の先端部１ａとブラシホルダー２の基端部２ａを嵌挿して連結させる。
それにより、無接点接続手段４で機能主要部Ｂの超音波発信回路Ｂ１及び電池Ｃと超音波振動子Ｄが電気的に結合される。
【００２９】
この連結状態で、利用者が操作スイッチＢ２をＯＮ状態に切り替えれば、超音波振動子Ｄが通電されて超音波振動し、この超音波振動子Ｄから発振された超音波振動がブラシＥ１を介して利用者の歯と歯茎及びその周囲の口腔組織へ向け伝播され、歯垢除去などに効果的な歯磨きを行える。
【００３０】
また、不使用時には、本体ケース１の先端部１ａとブラシホルダー２の基端部２ａ及び無接点接続手段４を分離することにより、柄Ａの全長が、本実施例の場合には約１／２程度に短縮化される。
その結果、柄Ａを容易に二分割して不使用時のコンパクト化を図れる。
【００３１】
更に本実施例の場合には、本体ケース１及びブラシホルダー２の連結状態で一次側コイル４ａと二次側コイル４ｂを電磁結合するから、本体ケース１及びブラシホルダー２の接合面に電気接点を露出させなくても電気的な結合が可能となる。
その結果、電気結合部分を防水構造にすることができる。
【００３２】
また、ブラシヘッドＥが取り付けられたブラシホルダー２を利用者の人数分だけ予め用意すれば、これら利用者専用のブラシホルダー２を一本の本体ケース１に連結して、利用者毎に交換することにより、ブラシホルダー２からブラシヘッドＥを頻繁に着脱することなく複数の利用者が共用可能となる。
その結果、超音波振動子ＤからブラシＥ１への振動伝達を長期に亘って維持しながら複数の利用者が一本の本体ケース１を共用できる。
更に複数の利用者が共用する場合には、長いブラシホルダー２から分離交換するので、衛生的に安心感があるという利点もある。
【００３３】
更にまた使用時に操作スイッチＢ２をＯＮ状態にしても本体ケース１の先端部１ａとブラシホルダー２の基端部２ａとが無接点接続手段４の適正位置で連結されない場合には、超音波振動子Ｄに通電されないため、表示部５が点灯しないから異常が分かる。
その結果、本体ケース１とブラシホルダー２の結合状態の確認を容易に行える。なお、適正位置で連結されているのに表示部５が点灯しない場合は例えば断線などの故障が考えられ、このような故障も容易に検出できる。
【００３４】
一方、図４〜図５に示すものは、本発明の他の実施例であり、このものは、前記無接点接続手段４として、互いに分離可能な一次側コイル４ａと二次側コイル４ｂを環状に形成し、本体ケース１の先端部１ａとブラシホルダー２の基端部２ａとの連結状態で上記環状の一方を他方の外周に配置した構成が、前記図１〜図３に示した実施例とは異なり、それ以外の構成は図１〜図３に示した実施例と同じものである。
【００３５】
図示例の場合には、本体ケース１の先端部１ａをブラシホルダー２の基端部２ａより大きく開口させ、この本体ケース１の先端部１ａ内に組み込まれる一次側コイル４ａを磁性コアがない環状に形成する共に、この環状の一次側コイル４ａの内側に、ブラシホルダー２の基端部２ａ内に組み込まれた二次側コイル４ｂを嵌挿して連結することにより、これら一次側コイル４ａと二次側コイル４ｂを柄Ａの軸線方向と直交する方向へ接近配列して電磁結合（誘電結合）させている。
【００３６】
この際、環状の一次側コイル４ａの内側であるボビン４ｃの内周面と、二次側コイル４ｂが組み込まれたブラシホルダー２の基端部２ａの外周面との間には、どちらか一方に耐摩耗性能に優れた耐摩耗性材料３ａを固着すると共にロック機構３を介装し、この耐摩耗性材料３ａでロック機構３の一部又は全部を形成することにより、上記連結部分及びロック機構３を摩耗し難くして耐久性の向上を図ることが好ましい。
【００３７】
従って、図４〜図５に示すものは、本体ケース１とブラシホルダー２を連結した使用状態で、一次側コイル４ａ及び二次側コイル４ｂが内外二重に配置され、その重複分だけ柄Ａの全長が短縮化される。
その結果、前記図１〜図３に示した実施例よりも連結時のコンパクト化を図れるという利点がある。
更に図示せる如く、一次側コイル４ａの内側に二次側コイル４ｂを配置すれば、反対の場合より結合効率が有利となるという利点もある。
【００３８】
尚、前示実施例では、無接点接続手段４として一次側コイル４ａと二次側コイル４ｂを電磁結合（誘電結合）させる場合を示したが、これに限定されず、同様の作用効果が得られるのであれば、例えば容量結合などの他の構造であっても良い。
更に、分離時における本体ケース１とブラシホルダー２の長さは略同じ長さでなく、どちらか一方が他方より長くても良い。
【００３９】
【発明の効果】
以上説明したように、本発明のうち請求項１記載の発明は、使用時には本体ケースの先端部とブラシホルダーの基端部を連結させることにより、無接点接続手段で超音波発信回路と超音波振動子が電気的に結合されて、超音波振動子が超音波振動し、不使用時には本体ケースの先端部とブラシホルダーの基端部及び無接点接続手段を分離することにより、柄の全長が短縮化されるので、柄を容易に二分割して不使用時のコンパクト化を図ることができる。
従って、一体成形した柄の内部に超音波発信回路などの機能主要部を配置して柄の先端側にブラシを配置した従来のものや、胴部から頸部を取り外しても該頸部を貫通して導波金属棒の大部分が突設する従来のものに比べ、不使用時の携帯性が向上して、例えば旅行などの外出時における持ち運びが容易で使用勝手が良い。
更に電気結合部分が無接点なので信頼性が向上する。
【００４０】
請求項２の発明は、請求項１の発明の効果に加えて、本体ケース及びブラシホルダーの連結状態で一次側コイルと二次側コイルを電磁結合することにより、本体ケース及びブラシホルダーの接合面に電気接点を露出させなくても電気的な結合が可能となるので、電気結合部分を防水構造にすることができる。
従って、錆などによる劣化や故障を防止できて長期に亘り使用でき、経済的である。
【００４１】
請求項３の発明は、請求項２の発明の効果に加えて、本体ケースとブラシホルダーの連結状態で一次側コイル及び二次側コイルが内外二重に配置され、その重複分だけ柄の全長が短縮化されるので、連結時のコンパクト化を図ることができる。
更に一次側コイルの内側に二次側コイルを配置すれば、反対の場合より結合効率が有利となる。
【００４２】
請求項４の発明は、請求項１、２または３の発明の効果に加えて、ブラシヘッドが取り付けられたブラシホルダーを利用者の人数分だけ予め用意すれば、これら利用者専用のブラシホルダーを一本の本体ケースに連結して、利用者毎に交換することにより、ブラシホルダーからブラシヘッドを頻繁に着脱することなく複数の利用者が共用可能となるので、超音波振動子からブラシへの振動伝達を長期に亘って維持しながら複数の利用者が一本の本体ケースを共用できる。
従って、例えば家族などのように複数の利用者が使用する場合には、利用者に相当する数の超音波歯ブラシが必要いらず、経済的である。
更に複数の利用者が共用する場合には、長いブラシホルダー２から分離交換するので、衛生的に安心感がある。
【００４３】
請求項５の発明は、請求項１、２、３または４の発明の効果に加えて、本体ケースの先端部とブラシホルダーの基端部とが無接点接続手段の適正位置で連結されない場合には、超音波振動子に通電されないため、表示部が点灯しないから異常が分かるので、本体ケースとブラシホルダーの結合状態を容易に確認できる。
【００４４】
請求項６の発明は、請求項２または３の発明の効果に加えて、圧電変換素子の共振周波数のバラツキによる出力電圧差が小さいので、安定した電磁結合を実現できる。
【図面の簡単な説明】
【図１】本発明の一実施例を示す超音波歯ブラシの縦断正面図であり、（ａ）は連結時を示し、（ｂ）は分離時を示している。
【図２】図１（ａ）の（２）−（２）線に沿える縦断側面図である。
【図３】回路図である。
【図４】本発明の他の実施例を示す超音波歯ブラシの縦断正面図であり、（ａ）は連結時を示し、（ｂ）は分離時を示している。
【図５】図４（ａ）の（５）−（５）線に沿える縦断側面図である。
【符号の説明】
Ａ　柄　　　　　　　　　　　　　　Ｂ　機能主要部
Ｂ１　超音波発信回路　　　　　　　Ｃ　電池
Ｄ　超音波振動子　　　　　　　　　Ｅ　ブラシヘッド
Ｅ１　ブラシ　　　　　　　　　　　１　本体ケース
１ａ　先端部　　　　　　　　　　　２　ブラシホルダー
２ａ　基端部　　　　　　　　　　　４　無接点接続手段
４ａ　一次側コイル　　　　　　　　４ｂ　二次側コイル
５　表示部
【図１】
2004089353.tif 000003
【図２】
2004089353.tif 000004
【図３】
2004089353.tif 000005
【図４】
2004089353.tif 000006
【図５】
2004089353.tif 000007